(57)【要約】【課題】  非使用時にコンパクトな形態とでき、広い設置スペースを必要としないとともに持ち運びが容易に行われ、かつ、使用性に優れるストレッチャーを提供する。【解決手段】  下面にキャスター１０が取り付けられた下台部２と、下台部２上に設置されるベッド部３とからなるストレッチャーであり、下台部２を上下方向において伸縮させる伸縮作動体２００を備えるとともに、ベッド部３が長手方向の途中部で折り畳まれる構造のもの。【選択図】図１
2020025831.tif 000002
【特許請求の範囲】
【請求項１】
下面にキャスターが取り付けられた下台部と、前記下台部上に設置されるベッド部とからなるストレッチャーであり、
前記下台部を上下方向において伸縮させる伸縮作動体を備えるとともに、前記ベッド部が長手方向の途中部で折り畳まれる構造であることを特徴とするストレッチャー。
【請求項２】
前記伸縮作動体が取り外し可能とする請求項１記載のストレッチャー。
【請求項３】
前記下台部と前記ベッド部とが分離可能で、前記ベッド部が長手方向の中央位置で折り畳まれる構造である請求項１または２記載のストレッチャー。
【請求項４】
前記下台部と前記ベッド部とが固定状態で、前記ベッド部の両端側部それぞれが中央部上に折り畳まれる構造である請求項１または２記載のストレッチャー。
【発明の詳細な説明】
【技術分野】
【０００１】  この発明は、介護等において使用されるストレッチャーに関する。
【背景技術】
【０００２】  最近では介護現場においてもストレッチャーが必要とされることが多い。しかしながらストレッチャーは長尺であるので広い配置スペースが必要となり、介護施設等においてはその設置場所に困る。また、被介護者の車による搬送の際、迎えに行く被介護者の状態が変化した場合等において急にストレッチャーが必要となる場合があり、その際には介護施設にストレッチャーを取りに戻らなければならず、非常に手間がかかる。
【発明の概要】
【発明が解決しようとする課題】
【０００３】  この発明は上記の事情に鑑みて行ったもので、非使用時にコンパクトな形態とでき、広い設置スペースを必要としないとともに、持ち運びが容易に行われるストレッチャーを提供することを目的とする。
【課題を解決するための手段】
【０００４】  この発明は、下面にキャスターが取り付けられた下台部と、前記下台部上に設置されるベッド部とからなるストレッチャーであり、前記下台部を上下方向において伸縮させる伸縮作動体を備えるとともに、前記ベッド部が長手方向の途中部で折り畳まれる構造であることを特徴とするストレッチャーを提供する。【０００５】  上記構成のストレッチャーは、下台部が上下方向において縮状態とされて扁平形態となり、ベッド部が折り畳まれることで、非使用時においては全体がコンパクトな状態となって設置される。とくに、伸縮作動体により下台部を上下方向において伸縮させることができるので、使用開始時、使用終了時に下台部を自動的に容易に所望の高さにできる。【０００６】  伸縮作動体が取り外し可能とする構成とすることで、伸縮作動体が故障した場合においても支障なく使用できる。【０００７】  下台部とベッド部とが分離可能でベッド部が長手方向の中央位置で折り畳まれる構造とされることで、非使用時に下台部とベッド部とがコンパクトな積層状態とできる。【０００８】  下台部とベッド部とが固定状態で、ベッド部の両端側部それぞれが中央部上に折り畳まれる構造とされることで、非使用時のコンパクトな状態から下台部を上昇させベッド部の両端側部を開くことで、迅速、容易に使用可能状態にでき、また、同様に使用状態から非使用時のコンパクトな状態にすることが、迅速、容易に行える。
【発明の効果】
【０００９】  この発明によれば、非使用時にコンパクトな形態とでき、広い設置スペースを必要としないとともに、持ち運びが容易に行われるストレッチャーを提供される。くわえて、下台部を上下方向において容易に自動的に伸縮させることができるので、使用性に優れる。
【図面の簡単な説明】
【００１０】
【図１】  この発明のストレッチャーの実施形態の外観斜視図
【図２】  この発明のストレッチャーの下台部とベッド部の分離状態の斜視図
【図３】  この発明のストレッチャーの下台部の扁平形態状態の斜視図
【図４】  この発明のストレッチャーの伸縮パイプの拡大斜視図
【図５】  この発明のストレッチャーの伸縮作動体の拡大斜視図
【図６】  この発明のストレッチャーのベッド部の単独使用の際の斜視図
【図７】  この発明のストレッチャーの下台部とベッド部との積層状態の斜視図
【図８】  この発明のストレッチャーの下台部とベッド部との積層固定状態の斜視図
【図９】  この発明のストレッチャーの他の実施形態の外観斜視図
【発明の好ましい実施形態】
【００１１】  図１はこの発明のストレッチャーの斜視図、図２は同下台部とベッド部との分離状態の斜視図である。ストレッチャー１は下台部２とその上部に設置されるベッド部３とからなり、それぞれは分離可能となっている。
【００１２】  下台部２は金属製で、上側部４と下側部６とが伸縮部８を介して連結されて構成され、下側部６の下面の前後両端にはキャスター１０のそれぞれが取り付けられている。
【００１３】  上側部４の両側の枠体１２それぞれの内面の一端側にはガイド溝１４が設けられたガイド体１６が取り付けられている。さらに、枠体１２それぞれの外面の両端近傍には鋼材が折り曲げ形成されたベッド部３の嵌合取り付け片１１のそれぞれが固着され、それらの傍位置には抜け止めピン１３のそれぞれがチェーンに連結されて取り付けられている。枠体１２それぞれの端部は枠パイプ１８それぞれに連結されている。２０は伸縮パイプ、２２は移動パイプである。伸縮パイプ２０は、図４に示すように、太径パイプ２４と細径パイプ２６とからなる。太径パイプ２４の一端が上記移動パイプ２２の中央に連結固定され、細径パイプ２６の一端が上記一方の枠パイプ１８の中央に連結固定され、細径パイプ２６の他端側が太径パイプ２４の他端側に嵌入され、その嵌入長さが変化することで伸縮パイプ２０は伸縮可能となっている。細径パイプ２６には２個のロック穴２５が、太径パイプ２４には１個のロック穴２７設けられている。また、細径パイプ２６の基部にはロックピン４９がチェーンに連結されて取り付けられている。移動パイプ２２はその両端に取り付けられた係止片２８のそれぞれが上記ガイド体１６のガイド溝１４それぞれに係止され、係止片２８がガイド溝１４に沿って移動することで移動パイプ２２は枠体１２に沿って移動可能に設けられている。
【００１４】  下側部４は両側の枠パイプ３０のそれぞれと両端の枠パイプ３１のそれぞれとが角部において連結具３４それぞれにより連結固定されるとともに、枠パイプ３０間に移動パイプ３５が設けられて構成されている。連結具３４それぞれの下面にはキャスター１０のそれぞれが取り付けられている。移動パイプ３５は両端に筒部３７を備え、それら筒部３７が枠パイプ３０に移動可能に外嵌されることで移動パイプ３５は枠パイプ３０に沿って移動可能に設けられている。
【００１５】  ２００は伸縮作動体であり、図５に示すように、モータ部２０１とギヤ部２０３とガイド筒管２０５と作動ロッド２０７から構成される。伸縮作動体２００はギヤ部２０３の端部が枠パイプ３１に固定された取り付け部材２０９の端部にピン２０８により軸支持されて取り付けられ、作動ロッド２０７の端部が移動パイプ３５に固定された取り付け部材２１１にピン２１０により軸支持されて取り付けられ、ピン２０８、ピン２１０のそれぞれが抜かれることで取り外しが可能となっている。モータ部２０１からはコネクタ２１４を備えるリード線２１３が延び出して一方の枠体１２の外面に取り付けられた電源部２１５に接続され、電源部２１５からは操作部２１９へのリード線２２０が延び出している。伸縮作動体２００はモータ部２０１内のモータが作動されることでその駆動軸がギヤ部２０３内でギヤに歯合して作動ロッド２０７をガイド筒管２０５内から延び出させ、また、引き込ませるようにして前後方向に移動させる。下台部２は作動ロッド２０７が延び出すことで、図３に示すように上下方向において縮状態となり、引き込ませることで、図１、図２に示すように上下方向において伸状態となって使用される。
【００１６】  伸縮部８は交差状に接触配置される一対の交差パイプ４０のそれぞれと、その交差パイプ４０の交差位置それぞれを回動可能に軸支持する軸支持棒３２とから構成される。交差パイプ４０を構成する４本のパイプ４４それぞれの上端は上側部４の一方側の枠パイプ１８のそれぞれと移動パイプ２２のそれぞれとに回動可能に軸支され、それぞれの下端は下側部４の一方側の枠パイプ３１のそれぞれと移動パイプ３５のそれぞれとに回動可能に軸支されて取り付けられている。
【００１７】  ベッド部３は周囲を構成する枠部５０と、枠部５０に張設される１枚のベッドシート５２とから構成される。枠部５０は一対のコ字状に折れ曲がる枠パイプ５３それぞれの両端が連結具５４に回動可能に連結され、ベッド部３はその連結位置においてその両側が矢印で示すように上方に折り曲げられて折り畳み可能とされている。枠パイプ５２のそれぞれには下台部２への取り付け用の嵌合係止部５６のそれぞれと、ベッドサイドガードの差し込み取り付け部５８のそれぞれが取り付けられている。嵌合係止部５６のそれぞれにはロック穴５７が設けられている。また、図６に示すように、一方の枠パイプ５２には一対の持ち手部５９が、他方の枠パイプ５２には一対のキャスター６０がともに下面側に折り畳み可能に取り付けられるとともに、他方の枠パイプ５２の端部には脚支持部６２が上面側に折り畳み可能に取り付けられている。
【００１８】  ベッド部３は両端が持たれることで単独で担架としての使用が行える。また、図６に示すようにして、持ち手５９とキャスター６０とで支持させることで床上に簡易ベッドとして設置できるとともに、その状態から持ち手５９側を持ち上げ押すことにより一人で被介護者の搬送が行え、その際には起立された脚支持部６２に足が係止されて被搬送者が前方にずり落ちることが防がれる。
【００１９】  下台部は、図３に示す状態において操作部２１９が操作されることで上側部４が上昇する。操作部２１９の上昇スイッチが継続して押されることでモータ部２０１が継続作動し、それに伴ってガイド筒管２０５内に作動ロッド２０７が徐々に引き込まれて移動パイプ３５が移動し、伸縮部８が上下方向において伸び状態となって上側部４が上昇する。操作部２１９の操作に対応して上側部４は所望の位置まで上昇される。その下台部２の嵌合取り付け片１１のそれぞれに嵌合係止部５６のそれぞれが上方から嵌合されてベッド部３が装着され使用状態とされる。その際には、抜け止めピン１３のそれぞれがロック穴５７に差し込み固定されることでベッド部３が下台部２から離脱することが阻止される。
【００２０】  使用後には、ベッド部３が下台部２から取り外され、操作部２１９において操作が行われることで伸縮作動体２００の作動により伸縮部８が上下方向において縮状態とされ、下台部２は扁平形態となる。ベッド部３上に被介護者が横たわる状態においても、操作部２１９によって伸縮部８は適宜の伸縮状態とでき、これにより上側部４の高さを適宜とすることで被介護者への対応作業等が容易に行われる。
【００２１】  下台部２は、モータ部２０１等が故障して作動しない場合には、ピン２０８、ピン２１０のそれぞれが抜かれるとともにコネクタ２１４が外されることで、伸縮作動体２００が取り外された状態で手動により伸縮させることで使用される。その際には、伸縮パイプ２０おいて、ロックピン４９がロック穴２７を通して所望のロック穴２５に通されることで太径パイプ２４と細径パイプ２６とは固定状態となり、これにより移動パイプ２２が固定されて交差パイプ４０のそれぞれも固定状態となり、ストレッチャー１はベッド部３が使用されるロック穴２５に対応する高さに保たれる。このようして、モータ部２０１等が故障した場合においてもストレッチャー１は支障なく使用される。
【００２２】  ストレッチャー１の非使用時の形態を説明する。図７に示すように、扁平形態とされた下台部２は上下が逆方向とされ、嵌合取り付け片１１のそれぞれが脚として床面に置かれる。その下台部２の下側部６下面の両端のキャスター１０の間に折り畳まれたベッド部３が積層配置され、図８に示すように、使用時においてベッド部３上に敷設されるクッションマット７０を介して２本の固定ベルト７２により一体に固定される。その際には、下台部２が嵌合取り付け片１１のそれぞれが脚とされて床面に置かれることで、上側部４と床面との間に空間が形成されるので、固定ベルト７２の装着作業が容易に行われるとともに、ベッド部３が床面に近接しないことで汚れたり濡れたりすることが防がれる。
【００２３】  折り畳んだベッド部３の長さＬ１が両端のキャスター１０間距離Ｌ２より若干小さく、かつ、折り畳んだベッド部３の厚さＷ１がキャスター１０の突出距離Ｗ２より小さく設計されていることで、折り畳まれたベッド部３は下台部２からその端部が外方に突出せずに両端がキャスター１０間に位置決めされるとともに、キャスター１０より上方に突出することなく、下台部２の下側部６の下面に安定して納まり良く固定される。
【００２４】  上記のようにして得られた積層固定体１００は、折り畳んだベッド部３が扁平とされた下台部２の下面のキャスター１０間にキャスター１０より上方に突出することなく納められたことでコンパクトなものとなり、介護施設内や介護者の搬送車内に広いスペースを要することなく設置できる。また、コンパクトであることで、固定ベルト７２に吊り下げ具を取り付けたり、全体をバッグに納めたりすることで、その持ち運びが一人で行える。
【００２５】  図９はストレッチャーの他の実施形態を示す。ストレッチャー３００は下台部３０１とベッド部３０３とが４個の固定具３０５に固定されているとともに、ベッド部３０３は両端側部３０６それぞれが４個の連結具３０７で中央部３０９に連結され、矢印で示す方向に点線位置で折り畳まれる構成となっている。このような構成により、ストレッチャー３００は非使用時おいては下台部３０１が上下方向において縮状態とされるとともに、ベッド部３０３は両端側部３０６それぞれが中央部３０９上に折り畳まれる状態とされてコンパクトな形態とされ、使用に際しては、操作部３１０によって下台部３０１の上側部４を上昇させベッド部３０３の両端側部３０６を両側に開くことで迅速、容易に使用できる。
【符号の説明】
【００２６】１    ストレッチャー
２    下台部
３    ベッド部
１０  キャスター
２００  伸縮作動体
【図１】
2020025831.tif 000003
【図２】
2020025831.tif 000004
【図３】
2020025831.tif 000005
【図４】
2020025831.tif 000006
【図５】
2020025831.tif 000007
【図６】
2020025831.tif 000008
【図７】
2020025831.tif 000009
【図８】
2020025831.tif 000010
【図９】
2020025831.tif 000011